(57)【要約】      （修正有）【課題】上下水道処理設備等大型プラントのプラント監視制御システムの組合せ試験において、試験要領書に記載された試験手段に基づいて、試験信号の出力指示、画面表示試験操作および試験成績表の作成の負担を軽減する試験支援装置を提供する。【解決手段】監視装置４の制御装置５とで構成されたプラント監視制御システム２に接続された試験支援装置１において、該試験支援装置１には所定の試験手順に従って実行信号を出力する実行手段２０が設けられ、この実行手段２０の支援画面に入力部１１の信号によって試験データの設定欄に表示されて制御装置５のメモリ５３に書き込まれ、これに該当する制御データが支援画面に表示されるとともに、監視装置４の画面にも表示され、支援画面の試験結果表示が実行手段２０の信号で試験成績書１９として出力される。【選択図】図１
2014142875.tif 000002
【特許請求の範囲】
【請求項１】
プラント監視制御システムの試験支援装置であって、
前記プラント監視制御システムは監視装置と制御装置とによって構成されているとともに、該プラント監視制御システムの試験を行う前記試験支援装置は、前記監視装置および前記制御装置にそれぞれネットワークで接続されており、
前記試験支援装置には、所定の試験手順に従って試験実行信号を出力する実行手段が設けられており、入力部からの信号で前記実行手段の画面に表示される試験設定データを前記制御装置のメモリに書き込み、このメモリに書き込まれた前記試験設定データに対応する前記制御装置の制御データが前記実行手段の画面に表示され、
前記制御装置は前記実行手段が出力する信号アドレスに従って前記制御データを前記監視装置に送信し、前記制御データに基づき、前記監視装置の画面に試験対象の状態が表示されるとともに、
前記試験支援装置に設けられた試験記録部は、前記実行手段の画面に表示された試験結果を格納し、該格納された試験結果は、前記実行手段の信号によって試験成績書として出力されることを特徴とするプラント監視制御システムの試験支援装置。
【請求項２】
プラント監視制御システムの試験支援装置であって、
前記プラント監視制御システムは監視装置と制御装置とによって構成されているとともに、該プラント監視制御システムの試験を行う前記試験支援装置は、前記監視装置および前記制御装置にそれぞれネットワークで接続されており、
前記試験支援装置には、所定の試験手順に従って試験実行信号を出力する実行手段が設けられており、入力部からの信号で前記実行手段の画面に表示される試験設定データに基づいて、前記監視装置から試験対象の機器への操作が実行可能とする指令を、前記監視装置に対して出力し、該監視装置からの信号によって前記制御装置の制御データが、制御装置データ確認欄の画面に表示されるとともに、前記試験支援装置に設けられた試験記録部は、前記実行手段の画面に表示された試験結果を格納し、該格納された試験結果は、前記実行手段の信号によって試験成績書として出力されることを特徴とするプラント監視制御システムの試験支援装置。
【請求項３】
前記制御データに基づき前記監視装置の画面に表示される試験対象の状態は、試験対象機器の機器シンボルの描画であることを特徴とする請求項１に記載のプラント監視制御システムの試験支援装置。
【請求項４】
前記制御データに基づき前記監視装置の画面に表示される試験対象の状態は、試験対象機器の計測値であることを特徴とする請求項１に記載のプラント監視制御システムの試験支援装置。
【請求項５】
前記制御装置データ確認欄の画面に表示される前記制御データは、前記制御装置のデジタル信号読み込み値であることを特徴とする請求項２に記載のプラント監視制御システムの試験支援装置。
【請求項６】
前記制御装置データ確認欄の画面に表示される前記制御データは、前記制御装置のアナログ信号の読み込み値であることを特徴とする請求項２に記載のプラント監視制御システムの試験支援装置。
【請求項７】
次のステップを備えたことを特徴とする請求項３に記載のプラント監視制御システムの試験支援装置。
ＳＴ１：前記試験支援装置に支援画面を表示する。
ＳＴ２：前記実行手段は試験項目情報部から試験対象信号の試験項目を読み込み、該実行手段の画面に試験項目番号、信号アドレス、試験結果確認欄の確認内容を表示する。
ＳＴ３：前記実行手段は画面展開部と試験データ送受信部に前記試験項目番号を送信する。
ＳＴ４：前記画面展開部は、前記試験項目番号をキーに試験項目情報部から該当信号が表示される画面番号を抽出する。
ＳＴ５：前記画面番号が複数画面に使用されているか否かをチェックし、Ｎｏの場合、次のＳＴ６に進む。
ＳＴ６：前記画面展開部から前記監視装置に対して、該当画面番号の画面表示指令を送信する。
ＳＴ７：前記試験データ送受信部は、前記試験項目番号をキーに前記試験項目情報部から信号アドレスを読み込む。
ＳＴ８：前記実行手段の画面の設定値欄にて、試験員によって設定されたデジタルインプット（ＤＩ）の設定データを、前記試験データ送受信部から前記制御装置の該当メモリに対してデータ書き込みを行う。
ＳＴ９：前記試験データ送受信部を介して前記制御装置の該当メモリを読み込むことにより、前記実行手段の支援画面のデジタルインプット（ＤＩ）の書き込み値欄である制御装置データ確認欄に該当メモリのデータを表示する。
ＳＴ１０：前記制御装置の制御ソフトウェア部およびネットワーク通信部により、前記監視装置に対して該当信号アドレスのデータが送信される。
ＳＴ１１：前記画面展開部は画面定義情報部を参照し、前記監視装置の表示出力部の画面に表示される試験対象機器の機器シンボルの表示座標を取得し、試験対象が前記表示出力部の画面に表示されるように前記監視装置に対して表示位置調整の指令を送信する。
ＳＴ１２：前記制御装置から送信された前記制御データに基づき、前記表示出力部の監視装置に表示された機器シンボルの描画が変化し、試験員は表示確認と動作確認を行う。
ＳＴ１３：試験員により試験結果確認欄に試験結果が入力され、試験記録部に格納される。
ＳＴ１４：試験継続の要否がチェックされ否の場合、次のＳＴ１５に進み、要の場合は、ＳＴ１６に進む。
ＳＴ１５：前記試験記録部に格納された試験結果に基に、試験成績書が出力される。
ＳＴ１６：前記実行手段の画面における「前の試験項目番号」または「次の試験項目番号」への入力により試験項目番号を切り替え、前記ＳＴ２に戻る。
【請求項８】
次のステップを備えたことを特徴とする請求項４に記載のプラント監視制御システムの試験支援装置。
ＳＴ１：前記試験支援装置に支援画面を表示する。
ＳＴ２：前記実行手段は試験項目情報部から試験対象信号の試験項目を読み込み、該実行手段の画面に試験項目番号、信号アドレス、試験結果確認欄の確認内容を表示する。
ＳＴ３：前記実行手段は画面展開部と試験データ送受信部に前記試験項目番号を送信する。
ＳＴ４：前記画面展開部は、前記試験項目番号をキーに前記試験項目情報部から該当信号が表示される画面番号を抽出する。
ＳＴ５：前記画面番号が複数画面に使用されているか否かをチェックし、Ｎｏの場合、次のＳＴ６に進む。
ＳＴ６：前記画面展開部から前記監視装置に対して、該当画面番号の画面表示指令を送信する。
ＳＴ７：前記試験データ送受信部は、前記試験項目番号をキーに前記試験項目情報部から信号アドレスを読み込む。
ＳＴ８：前記試験データ送受信部を介して前記制御装置の該当メモリを読み込むことにより、前記実行手段の画面のデジタルアウトプット（ＤＯ）の読み込み値欄である制御装置データ確認欄に該当メモリのデータを表示する。
ＳＴ９：前記画面展開部は画面定義情報部を参照し、前記監視装置の表示出力部の画面に表示される試験対象機器の機器シンボルの表示座標を取得し、試験対象が前記表示出力物の画面に表示されるように前記監視装置に対して表示位置調整の指令を送信する。
ＳＴ１０：前記実行手段の画面の設定欄にて、試験員によって設定された試験データに基づき、前記画面展開部から前記監視装置に対して操作指令を送信し、前記監視装置から試験対象機器への制御操作が実行される。
ＳＴ１１：前記監視装置からの制御操作により、前記制御装置の該当メモリのデジタル信号読み込み値が書き替わることをデジタルアウトプット（ＤＯ）の読み込み値欄である前記制御装置データ確認欄にて試験員が確認を行う。
ＳＴ１２：試験員により試験結果確認欄に試験結果が入力され、試験記録部に格納される。
ＳＴ１３：試験継続の要否がチェックされ否の場合、次のＳＴ１５に進み、要の場合は、ＳＴ１６に進む。
ＳＴ１４：前記試験記録部に格納された試験結果に基に、試験成績書が出力される。
ＳＴ１５：前記実行手段の画面における「前の試験項目番号」または「次の試験項目番号」への入力により試験項目番号を切り替え、前記ＳＴ２に戻る。
【請求項９】
次のステップを備えたことを特徴とする請求項５に記載のプラント監視制御システムの試験支援装置。
ＳＴ１：前記試験支援装置に支援画面を表示する。
ＳＴ２：前記実行手段は試験項目情報部から試験対象信号の試験項目を読み込み、該実行手段の画面に試験項目番号、信号アドレス、試験結果確認欄の確認内容を表示する。
ＳＴ３：前記実行手段は画面展開部と試験データ送受信部に前記試験項目番号を送信する。
ＳＴ４：前記画面展開部は、前記試験項目番号をキーに前記試験項目情報部から該当信号が表示される画面番号を抽出する。
ＳＴ５：前記画面番号が複数画面に使用されているか否かをチェックし、Ｎｏの場合、次のＳＴ６に進む。
ＳＴ６：前記画面展開部から前記監視装置に対して、該当画面番号の画面表示指令を送信する。
ＳＴ７：前記試験データ送受信部は、前記試験項目番号をキーに前記試験項目情報部から信号アドレスを読み込む。
ＳＴ８：前記実行手段の画面の設定値欄にて、試験員によって設定されたデジタルインプット（ＤＩ）の設定データを、前記試験データ送受信部から前記制御装置の該当メモリに対してデータ書き込みを行う。
ＳＴ９：前記試験データ送受信部を介して前記制御装置の該当メモリを読み込むことにより、前記実行手段の画面のデジタルインプット（ＤＩ）の書き込み値欄である制御装置データ確認欄に該当メモリのデータを表示する。
ＳＴ１０：前記制御装置の制御ソフトウェア部およびネットワーク通信部により、前記監視装置に対して該当信号アドレスのデータが送信される。
ＳＴ１１：前記画面展開部は画面定義情報部を参照し、前記監視装置の表示出力部の画面に表示される試験対象機器の機器シンボルの表示座標を取得し、試験対象が前記表示出力部の画面に表示されるように前記監視装置に対して表示位置調整の指令を送信する。
ＳＴ１２：前記制御装置から送信された制御データに基づき、前記表示出力部に表示された計測値が変化し、試験員は表示確認と動作確認を行う。
ＳＴ１３：試験員により試験結果確認欄に試験結果が入力され、試験記録部に格納される。
ＳＴ１４：試験継続の要否がチェックされ否の場合、次のＳＴ１５に進み、要の場合は、ＳＴ１６に進む。
ＳＴ１５：前記試験記録部に格納された試験結果に基に、試験成績書が出力される。
ＳＴ１６：前記実行手段の画面における「前の試験項目番号」または「次の試験項目番号」への入力により試験項目番号を切り替え、前記ＳＴ２に戻る。
【請求項１０】
次のステップを備えたことを特徴とする請求項６に記載のプラント監視制御システムの試験支援装置。
ＳＴ１：前記試験支援装置に支援画面を表示する。
ＳＴ２：前記実行手段部は試験項目情報部から試験対象信号の試験項目を読み込み、該実行手段の画面に試験項目番号、信号アドレス、試験結果確認欄の確認内容を表示する。
ＳＴ３：前記実行手段は画面展開部と試験データ送受信部に前記試験項目番号を送信する。
ＳＴ４：前記画面展開部は、前記試験項目番号をキーに前記試験項目情報部から該当信号が表示される画面番号を抽出する。
ＳＴ５：前記画面番号が複数画面に使用されているか否かをチェックし、Ｎｏの場合、次のＳＴ６に進む。
ＳＴ６：前記画面展開部から前記監視装置に対して、該当画面番号の画面表示指令を送信する。
ＳＴ７：前記試験データ送受信部は、前記試験項目番号をキーに前記試験項目情報部から信号アドレスを読み込む。
ＳＴ８：前記試験データ送受信部を介して前記制御装置の該当メモリを読み込むことにより、前記実行手段の画面のアナログアウトプット（ＡＯ）の読み込み値欄である制御装置データ確認欄に該当メモリのデータを表示する。
ＳＴ９：前記画面展開部は画面定義情報部を参照し、前記監視装置の表示出力部の画面における数値設定部の表示座標を取得し、試験対象が前記表示出力部の画面に表示されるように前記監視装置に対して、表示位置調整の指令を送信する。
ＳＴ１０：前記実行手段の画面の設定欄において、試験員により設定された試験データに基づき、前記画面展開部から前記監視装置に対して数値設定指令を送信し、前記監視装置から前記制御装置に対して数値データが送信される。
ＳＴ１１：前記制御装置から数値データ送信により、前記制御装置の該当メモリの数値データが書き替わることをアナログアウトプット（ＡＯ）の読み込み値欄である制御装置データ確認欄にて試験員が確認を行う。
ＳＴ１２：試験員により試験結果確認欄に試験結果が入力され、試験記録部に格納される。
ＳＴ１３：試験継続の要否がチェックされ否の場合、次のＳＴ１４に進み、要の場合は、ＳＴ１５に進む。
ＳＴ１４：前記試験記録部に格納された試験結果に基に、試験成績書が出力される。
ＳＴ１５：前記実行手段の画面における「前の試験項目番号」または「次の試験項目番号」への入力により試験項目番号を切り替え、前記ＳＴ２に戻る。
【請求項１１】
前記ＳＴ５とＳＴ６に代替して次のステップを備えたことを特徴とする請求項７ないし請求項１０のいずれか１項に記載のプラント監視制御プラントの試験支援装置。
前記画面番号が複数画面に使用されているか否かをチェックし、Ｙｅｓの場合、複数画面を表示するよう前記監視装置の表示出力部に指令を出す。表示画面が縮小される場合は、前記表示出力部に表示位置調整指令を出力する。
【請求項１２】
プラント監視制御プラントの試験方法であって、前記請求項３ないし請求項１１のいずれか１項に記載の試験支援装置を用いたことを特徴とする。
【発明の詳細な説明】
【技術分野】
【０００１】
この発明は、上下水道処理設備等の大型プラントに設けられたプラント監視制御システムの試験支援装置とその試験方法に関するもので、特にプラント監視制御システムの組み合わせ試験において、制御装置への試験信号の設定、指示、監視装置への画面の表示指示、試験結果の記録採取等の作業を自動化し、試験作業、試験成績書作成等の作業の軽減、支援する試験支援装置ならびにこの試験支援装置を用いた試験方法に係るものである。
【背景技術】
【０００２】
一般に従来から実施されているプラント監視制御システムの組み合わせ試験では、制御装置が外部信号を入力し、監視装置の表示出力部の監視画面上の機器シンボルや数値が正常に表示されるか否かの確認を行う。試験要領書には試験対象信号の信号アドレス、信号種別、機器名、故障名、計測範囲、該当番号等が表示される画面番号などが記載され、この試験要領書に基づき制御装置に対して試験対象機器が取り得る状態を外部信号として与え、監視画面上に表示される機器シンボルの状態変化や計測値を確認し、試験成績書に記入している。
【０００３】
すなわち従来の組み合わせ試験では、実際のプラントに設置した場合と同一構成のシステムを構築し、各装置間の信号入出力について試験を行うものであり、例えば制御装置に外部信号としての故障信号を入力した場合、監視装置に該当装置の故障が正しく表示されるか否かの確認を行うものである。
【０００４】
この従来の組み合わせ試験の実施にあたり、試験員には以下の作業が要求されている。すなわち試験員は、
（１）試験要領書を参照し、試験対象の信号アドレスを確認。
（２）制御装置のメンテナンス用ツールを操作し、メモリにおける試験データ書込み位置を探し、書込み可能な状態とする。
（３）試験要領書を参照し、試験データとして設定する値を確認する。
（４）制御装置のメンテナンス用ツールを操作し、メモリにおける試験データ書込み位置に、試験データを書き込む。
（５）制御装置のメンテナンス用ツールを操作し、メモリにおける試験データ書込み位置に、試験データが書き込まれているかどうか確認する。
（６）試験要領書を参照し、試験対象信号が表示される画面番号を確認。
（７）監視装置を操作し、試験対象信号が表示される画面番号の画面を表示する。
（８）表示画面が複数存在する場合、試験員は監視装置を操作し、画面ウィンドウ化の操作を行う。
（９）画面ウィンドウ化により、画面表示エリアが縮小されるため、試験員は監視装置を操作し試験対象機器シンボルが画面表示エリアに表示されるように画面の表示位置を調整する。
（１０）制御装置のメンテナンス用ツールを操作し、メモリにおける試験データを変化させる。
（１１）監視装置の監視画面に表示される機器シンボルの状態変化や計測値の変化を確認する。
（１２）試験成績書に手書きで試験結果を記入する。
以上のように、プラント試験員には繁雑な作業を行うことが要求されている。そして、試験対象信号はシステム規模にもよるが、数万点に及ぶ場合があり、試験員は全点について上記作業を繰り返す。
以上のような繁雑な作業がなされているため、人為的なエラーの発生や、データの見落とし等が発生し易く、さらに大幅な試験日程、それに伴うコスト高となる等の問題点がある。
【０００５】
一方、各種プラントの監視画面試験装置として、監視画面上のすべての可変画面情報を順々に、その詳細情報を同時に表示しながら試験を行い、画面の修正も実施できるように模擬データを試験対象装置内部に保持し、模擬データに対する出力結果を評価する技術が示されている（例えば、特許文献１）。
【先行技術文献】
【特許文献】
【０００６】
【特許文献１】特開平０３−２４５１８４号公報
【発明の概要】
【発明が解決しようとする課題】
【０００７】
しかしながら上記特許文献１に示された技術は、他装置からの入力の代替として、模擬データを試験対象機器内に保持し、模擬データに対する出力結果を評価する方法であり、プラント監視制御システムの組合せ試験には適用できないという問題点がある。
【０００８】
この発明は上記のような従来技術の課題を解決するためになされたものであり、プラント監視制御システムの組合せ試験において、試験要領書に記載された試験手順に従って制御装置への試験信号の出力指示、監視装置への当該画面の表示指示、試験過程の記録採取を自動的に行うことが可能なプラント監視制御システムの試験支援装置およびその試験支援装置を用いたプラント監視制御システムの試験方法の提供を目的としている。
【課題を解決するための手段】
【０００９】
第１の発明に係るプラント監視制御システムの試験支援装置は、プラント監視制御システムが監視装置と制御装置とによって構成されているとともに、該プラント監視制御システムの試験を行う試験支援装置は、監視装置および制御装置にそれぞれネットワークで接続されており、
試験支援装置には、所定の試験手順に従って試験実行信号を出力する実行手段が設けられており、入力部からの信号で実行手段の画面に表示される試験設定データを制御装置のメモリに書き込み、このメモリに書き込まれた試験設定データに対応する制御装置の制御データが実行手段の画面に表示され、
制御装置は試験支援装置の実行手段が出力する信号アドレスに従って制御データを監視装置に送信し、制御データに基づき、監視装置の画面に試験対象の状態が表示されるとともに、
試験支援装置に設けられた試験記録部は、実行手段の画面に表示された試験結果を格納し、該格納された試験結果は、実行手段の信号によって試験成績書として出力されるものである。
【００１０】
第２の発明に係るプラント監視制御システムの試験支援装置は、前記プラント監視制御システムが監視装置と制御装置とによって構成されているとともに、該プラント監視制御システムの試験を行う試験支援装置は、監視装置および制御装置にそれぞれネットワークで接続されており、
試験支援装置には、所定の試験手順に従って試験実行信号を出力する実行手段が設けられており、入力部からの信号で実行手段の画面に表示される試験設定データに基づいて、監視装置から試験対象の機器への操作が実行可能とする指令を監視装置に対して出力し、該監視装置からの信号によって制御装置の制御データが、制御装置のデータ確認欄の画面に表示されるとともに、試験支援装置に設けられた試験記録部は、実行手段の画面に表示された試験結果を格納し、該格納された試験結果は、実行手段の信号によって試験成績書として出力されるものである。
【００１１】
また第３の発明に係るプラント監視制御システムの試験方法は、前記第１の発明あるいは第２の発明に係る試験支援装置を用いたものである。
【発明の効果】
【００１２】
第１の発明に係るプラント監視制御システムの試験支援装置は上記のような構成を採用しているので、従来、試験員の手作業による繁雑な作業であった試験内容の確認、監視装置における画面表示および画面の位置調整、制御装置における試験データの設定作業、試験結果記入等が不要となり、試験場でのミス発生防止、試験作業の省力化、短時間化、ひいてはコスト低減がはかれるという効果がある。
【００１３】
また第２の発明に係るプラント監視制御システムの試験支援装置も上記のような構成を採用しているので、監視装置から制御装置への試験対象機器の操作、制御が可能となり、試験データ採取の多様化がはかれるとともに、前記第１の発明と同様の効果がある。
【００１４】
さらに第３の発明に係るプラント監視制御システムの試験方法も前記第１、第２の発明と同様の効果を奏する。
【図面の簡単な説明】
【００１５】
【図１】実施の形態１によるプラント監視制御システムとその試験支援装置を示すブロック図である。
【図２】実施の形態１による試験支援装置の画面表示・指令部の支援画面を示す図である。
【図３】実施の形態１による動作ステップを示すフロー図である。
【図４】実施の形態１による動作ステップを示すフロー図である。
【図５】実施の形態２による動作ステップを示すフロー図である。
【図６】実施の形態２による動作ステップを示すフロー図である。
【図７】実施の形態３による動作ステップを示すフロー図である。
【図８】実施の形態３による動作ステップを示すフロー図である。
【図９】実施の形態４による動作ステップを示すフロー図である。
【図１０】実施の形態４による動作ステップを示すフロー図である。
【発明を実施するための形態】
【００１６】
実施の形態１．
以下、この発明の実施の形態１によるプラント監視制御システムの試験支援装置１（以下、支援装置１と称す）を図に基づいて説明する。
図１は、実施の形態１における支援装置１と、監視装置４と制御装置５とで構成されているプラント監視制御システム２を示すブロック図である。監視装置４と制御装置５とは制御用ネットワーク３を介して接続されている。プラント監視制御システム２は複数台の監視装置４および制御装置５が制御用ネットワーク３に接続される場合があるが、この図１に示す実施の形態１では、それぞれ各１台ずつの監視装置４と制御装置５が設けられた例を示す。
【００１７】
図１に示すように支援装置１は、第１の情報用ネットワーク６ａによって監視装置４に、第２の情報用ネットワーク６ｂによって制御装置５に接続されている。この支援装置１には、マウスやキーボード等を有する入力部１１の出力信号を入力し、後述する図２の支援画面１００を表示する画面表示・指令部１２と、この画面表示・指令部１２の出力信号によってこのプラント監視制御システム２の試験が所定の試験手順によって実行できるように、予め作成されて外部に格納されている試験要領書１３から試験対象信号の試験項目を読み込み、これを格納する試験項目情報部１４と、前記試験項目情報部１４から試験項目を読み出し、制御装置５のメモリ５３に書き込むとともに、この書き込まれた試験データを読み込む試験データ送受信部１５と、監視装置４の表示出力部４１に表示される画面情報が格納された画面定義情報部１６と、前記画面表示・指令部１２からの要求で前記試験項目情報部１４と画面定義情報部１６の情報を基に、監視装置４に対して試験対象の画面表示と、表示位置調整の指令を出力する画面展開部１７と、前記制御装置５のメモリ５３に書き込まれた試験データを読み込んだ試験データ送受信部１５の出力信号を入力する前記画面表示・指令部１２からの試験結果データを、外部に試験成績書１９として出力する試験記録部１８が設けられている。ここで前記画面表示・指令部１２、試験項目情報部１４、試験データ送受信部１５、画面定義情報部１６、画面展開部１７を総括して、実行手段２０と称する。
尚、前記画面表示・指令部１２は、図２に示す支援画面１００上に試験項目情報部１４から読み出した試験項目番号欄１０１、信号アドレス欄１０２、実行欄１１５、試験結果確認欄１１１を表示し、入力部１１からの信号によって試験実行の入力、制御装置５のデータ確認および試験結果の確認の表示がなされ、また試験項目番号の切り替えを行うための操作手段１１３を表示するとともに、この操作手段１１３は入力部１１の信号で試験項目番号欄１０１の試験項目番号が前の試験項目番号１１３ａあるいは次の試験項目番号１１３ｂに切り替え可能であり、この切り替えにより例示した試験項目番号１１８番のデータに代替して１１７番あるいは１１９番の試験項目の諸データが表示される。
【００１８】
前記支援装置１の画面表示・指令部１２の支援画面１００の表示内容について、より詳しく説明する。
前述したように入力部１１からの信号によって、画面表示・指令部１２に表示される支援画面１００には、試験項目番号（例示では１１８）を示す試験項目番号欄１０１、信号アドレス欄１０２、試験の実行欄１１５、試験項目番号の選択機能である操作手段１１３欄が表示する前の試験項目番号１１３ａ、および次の試験項目番号１１３ｂおよび試験結果確認欄１１１が設けられ、この試験結果確認欄１１１の例示では試験確認後を示している。
前記実行欄１１５には、デジタルインプットＤＩ（以下、ＤＩと略）、デジタルアウトプットＤＯ（ＤＯと略）、アナログインプットＡＩ（ＡＩと略）、アナログアウトプットＡＯ（ＡＯと略）のデータ種別を表示するデータ種別欄１１２と、このＤＩ、ＤＯのＯＮ／ＯＦＦ設定や、ＡＩ、ＡＯの負荷程度の設定を行う試験データの設定欄１０３、１０５、１０７、１０９および前記制御装置５のメモリ５３に格納されたデータである前記ＤＩ、ＡＩ、ＤＯ、ＡＯの書き込み値、読み込み値を確認するための制御装置データ確認欄１０４、１０６、１０８、１１０が設けられている。尚前記実行欄１１５、試験結果確認欄１１１に表示されるものは、前記試験項目番号欄１０１に示された、例えば１１８番の試験項目番号に対応するものであり、前記前の試験項目番号１１３ａや次の試験項目番号１１３ｂを操作することによって、前記１１８番の各データが更新されて１１７番または１１９番の試験項目番号の諸データが表示される。
【００１９】
次に実施の形態１による組合せ試験時の動作を図１〜図４を参照して説明する。
図１のブロック図に示すように、プラント試験員が操作する支援装置１に設けられた入力部１１からの信号によって、監視装置４内の切替スイッチ４４および制御装置５内の切替スイッチ５４が試験モードに設定される。ここで監視装置４の切替スイッチ４４が試験モードと切り替えることにより、通常運転時は図１に示す外部設置のマウスやキーボードから操作される画面の切り替えや数値設定が、支援装置１からの指令により操作可能となり、また制御装置５の切替スイッチ５４を試験モードと切り替えることにより、通常運転時は、図１に示す外部信号入出力部５５を介するメモリ５３へのデータの読み込み、書き込みが、支援装置１との間で行うことが可能となる。プラント監視制御システム２がこのような状態下において、入力部１１からの信号によって試験が開始される。以下にその試験の動作ステップ（ＳＴ）をフローチャート図３、図４も参照の上、説明する。
【００２０】
ＳＴ１：試験員が操作する入力部１１の出力信号によって、支援装置１の画面表示・指令部１２に図２に示す支援画面１００が表示される。
ＳＴ２：試験員は試験要領書１３を参照の上、試験対象信号を入力部１１を介して出力すると、画面表示・指令部１２は試験項目情報部１４から対応する試験項目番号（図２の例示では１１８）を読み込むとともに、支援画面１００上に、試験項目番号の例えば１１８、信号アドレスの０２０／ＭＳ０１２３８Ｅ、試験結果確認欄１１１の確認内容を表示する。
ＳＴ３：画面表示・指令部１２は、画面展開部１７と試験データ送受信部１５に試験項目番号を送信する。
ＳＴ４：画面展開部１７は、試験項目番号をキーとして試験項目情報部１４から該当の試験対象信号が表示される画面番号を抽出する。この画面番号には、試験対象信号の信号アドレス、信号種別、機器名、計測範囲、該当番号などが表示される。
尚ここで該当する画面番号が複数画面に使用されている場合（ＳＴ５）は、監視装置４の監視画面ソフトウェア部４３に設けられた画面ウィンドウ化機能を用いて、複数画面を表示出力部４１に表示するよう指令するとともに、この画面ウィンドウ化により表示範囲が縮小される場合には、表示出力部４１の画面上に表示される機器シンボルの表示座標が格納されている画面定義情報部１６を参照し、試験対象が画面上の可視領域内に表示されるように、表示出力部４１に対して表示位置調整の指令を出すステップ（ＳＴ５０）を設け、これらのステップ（ＳＴ５０）を経た後に、ＳＴ７に進む。
ＳＴ６：画面展開部１７は、監視装置４の表示出力部４１に対して該当する画面番号の画面表示指令を送信する。
ＳＴ７：試験データ送受信部１５は試験項目番号をキーとして、試験項目情報部１４から信号アドレスを読み込む。
ＳＴ８：支援画面１００の実行欄１１５内の設定欄１０３において、試験員により設定された入力信号である機器の運転信号として定義されたデジタル入力信号ＤＩについて、例えばＯＮとするデータを試験データ送受信部１５を介して送信し、制御装置５の該当メモリ５３に対して書き込みを行う。
ＳＴ９：つづいて画面表示・指令部１２は、上記ＳＴ８の制御装置５の前記メモリ５３に書き込まれた試験設定データであるＯＮ信号に対応する値を読み込むことにより、支援画面１００のＤＩデータの書き込み値欄である実行欄１１５内の制御装置データ確認欄１０４には該当メモリ５３の書き込み値が表示され、制御装置５における書き込みデータ（図２の例示では、「１」）を確認することができる。
ＳＴ１０：試験データ送受信部１５は、制御装置５の制御ソフトウェア部５２からネットワーク通信部５１を介して、監視装置４の表示出力部４１に該当信号アドレスのデータを送信する指令を出す。
ＳＴ１１：さらに画面展開部１７は、画面定義情報部１６を参照し、監視装置４の表示出力部４１の監視画面に表示される機器シンボルの表示座標を取得し、試験対象が監視画面に表示されるように表示位置調整の指令を監視装置４の監視画面ソフトウェア部４３を介して表示出力部４１に送信する。
ＳＴ１２：上記ＳＴ１０の制御装置５から送信されたデータに基づき、表示出力部４１上の監視画面に表示される試験対象機器の機器シンボルの描画が変化し、試験員は表示確認および動作確認を行うことが可能となる。
ＳＴ１３：支援画面１００上に表示された試験結果確認欄１１１に設けられた結果入力欄１１１ａに入力部１１を介して結果が入力、記載されるとともに、この試験結果は支援装置１の試験記録部１８に格納される。
ＳＴ１４：試験継続の要否がチェックされ、否の場合ＳＴ１５に進む。
ＳＴ１５：入力部１１からの信号によって、ＳＴ１３での格納された試験結果は試験成績書１９として出力される。
ＳＴ１６：ＳＴ１４で試験継続要の場合は、支援画面１００における操作手段１１３である「前の試験項目番号」１１３ａまたは「次の試験項目番号」１１３ｂへの入力により、試験項目番号を切り替える。
【００２１】
このように実施の形態１によるプラント監視制御システムの支援装置１では、従来の試験で行われていた試験要領書に記載された試験内容の確認、監視装置４における画面表示および画面の位置調整、制御装置５における試験データの設定作業、試験結果記入の作業が不要となり、試験作業の省力化が実現可能となる。
【００２２】
実施の形態２．
次に実施の形態２を説明する。
この実施の形態２は、図３、図４に示した実施の形態１のフローチャートのＳＴ１１を設ける必要がなく、かつ実施の形態１のＳＴ８に代替してＳＴ８ａ、ＳＴ９に代替してＳＴ９ａ、ＳＴ１０に代替してＳＴ１０ａ、ＳＴ１２に代替してＳＴ１２ａとしたもので、それ以外のＳＴ１〜ＳＴ７、ＳＴ１３〜ＳＴ１９、ＳＴ５０は実施の形態１と同一であるので説明を省略する。
この実施の形態２によるフローチャートを図５、図６に示す。このようなステップ（ＳＴ）を有する構成のプラント監視制御システムの支援装置１では、試験継続中の途中において試験員が所望する監視装置４から試験対象機器の操作、制御が可能となる。以下、代替したステップ（ＳＴ）について説明する。
ＳＴ８ａ：画面表示・指令部１２は、試験データ送受信部１５を介して制御装置５の該当メモリを読み込むことにより、支援画面１００の実行欄１１５内のデジタルアウトプット（ＤＯ）の読み込み値欄である制御装置データ確認欄１０６に、該当メモリ５３のデータを表示する。
ＳＴ９ａ：画面展開部１７は、画面定義情報部１６を参照し、表示出力部４１の監視画面に表示される操作対象機器シンボルの表示座標を取得し、試験対象が監視画面に表示されるように、表示位置調整の指令を監視装置４の監視画面ソフトウェア部４３を介して表示出力部４１に送信する。
ＳＴ１０ａ：支援画面１００の実行欄１１５内の設定欄１０５において、試験員により設定されたデータに基づき、画面展開部１７から監視装置４の表示出力部４１に対して操作指令を送信し、監視装置４から試験対象機器への制御操作が実行される。
ＳＴ１２ａ：監視装置４の表示出力部４１からの制御操作により、制御装置５のメモリ５３の該当メモリが書き替わることを、支援画面１００のデジタルアウトプット（ＤＯ）の読み込み値欄である制御装置データ確認欄１０６にて試験員が確認を行う。
【００２３】
以上のようにこの実施の形態２では、支援装置１の信号によって、監視装置４から試験対象機器の制御操作が行えるという効果がある。
【００２４】
実施の形態３．
次に実施の形態３を説明する。
この実施の形態３は図３、図４に示した実施の形態１のフローチャートのＳＴ８に代替してＳＴ８Ａ、ＳＴ９に代替してＳＴ９Ａ、ＳＴ１２に代替してＳＴ１２Ａとしたもので、それ以外のＳＴ１〜ＳＴ７、ＳＴ１０、ＳＴ１１、ＳＴ１３〜ＳＴ１６、ＳＴ５０は実施の形態１と同一であるので、説明を省略する。
この実施の形態３によるフローチャートを図７、図８に示す。このようなステップ（ＳＴ）を有する構成のプラント監視制御システムの支援装置１では、試験継続中の途中において試験員が所望する監視装置４における計測値表示の試験が可能となる。以下、代替したステップ（ＳＴ）について説明する。
ＳＴ８Ａ：支援画面１００の実行欄１１５内の設定欄１０７において、試験員により設定されたデータ種別ＡＩ（アナログインプット）の設定欄１０７の、例えば５０％のアナログインプット（ＡＩ）のデータを、試験データ送受信部１５から制御装置５のメモリ５３の該当メモリに対してデータの書き込みを行う。
ＳＴ９Ａ：つづいて画面表示・指令部１２は、上記ＳＴ８Ａの制御装置５の該当メモリ５３に書き込まれた値を読み込むことにより、支援画面１００の実行欄１１５内のアナログインプット（ＡＩ）の書き込み値欄である制御装置データ確認欄１０８には該当メモリ５３のデータを表示する。
ＳＴ１２Ａ：制御装置５から送信されたデータに基づき、監視装置４の表示出力部４１に表示された試験対象機器の計測値が変化し、試験員は表示確認と動作確認を行うことが可能となる。
【００２５】
以上のようにこの実施の形態３では監視装置４で計測値表示の試験が可能となる。すなわち、支援画面１００において計測値の試験で必要とされる数値のパターンであって、例えば上限値、中間値、下限値、上限値超過等の表示されている部分について入力することで設定可能となり試験作業の軽減化、試験時間の短縮化が図れるという効果がある。
【００２６】
実施の形態４．
次に実施の形態４を説明する。
この実施の形態４は図３、図４に示した実施の形態１のフローチャートのＳＴ１１を設ける必要がなくなり、かつ実施の形態１のＳＴ８に代替してＳＴ８ｂ、ＳＴ９に代替してＳＴ９ｂ、ＳＴ１０に代替してＳＴ１０ｂ、ＳＴ１２に代替してＳＴ１２ｂとしたもので、それ以外のＳＴ１〜ＳＴ７、ＳＴ１３〜ＳＴ１６、ＳＴ５０は実施の形態１と同一であるので説明を省略する。
実施の形態４によるフローチャートを図９、図１０に示す。このようなステップ（ＳＴ）を有する構成のプラント監視制御システムの支援装置１では、試験継続中の途中において試験員が所望する監視装置４における数値設定を行う試験が可能となる。以下、代替したステップ（ＳＴ）について説明する。
ＳＴ８ｂ：画面表示・指令部１２は、試験データ送受信部１５を介して制御装置５の該当メモリを読み込むことにより支援画面１００の実行欄１１５内アナログアウトプット（ＡＯ）の読み込み値欄である制御装置データ確認欄１１０に該当メモリ５３のデータを表示する。
ＳＴ９ｂ：画面展開部１７は画面定義情報部１６を参照し、表示出力部４１の監視画面に表示される数値設定部の表示座標を取得し、試験対象が監視画面に表示されるように表示位置調整の指令を監視装置４の監視画面ソフトウェア部４３を介して表示出力部４１に送信する。
ＳＴ１０ｂ：支援画面１００の実行欄１１５内の設定欄１０５にて試験員により設定されたデータに基づき、画面展開部１７から監視装置４の表示出力部４１に対して数値設定指令であるデータ種別ＡＯ（アナログアウトプット）の設定欄１０７の、例えば５０％のデータを送信し、監視装置４から制御装置５に対して数値データが送信される。
ＳＴ１２ｂ：上記ＳＴ１０ｂの監視装置４からの数値データを送信する制御装置５の該当メモリ５３が書き替わることを、支援画面１００のアナログアウトプット（ＡＯ）の読み込み値欄である制御装置データ確認欄１１０にて試験員が確認を行う。
【００２７】
以上のようにこの実施の形態４では、実施の形態１と同様の効果に加え、数値設定の試験で必要とされる数値のパターン、例えば上限値、中間値、下限値、上限超過等表示されている部分について入力することで設定可能となり試験作業の軽減化、試験時間の短縮化が図れるという効果がある。
【００２８】
実施の形態５．
次に実施の形態５について説明する。
この実施の形態５は前述した実施の形態１〜実施の形態４のプラント監視制御システムの支援装置１を用いたプラント監視制御システムの支援方法である。
前述した各実施の形態によるプラント監視制御システムの支援装置を用いて、プラント監視制御システムの組合せ試験を行う方法であるので、前述した実施の形態１〜実施の形態４と同様の効果を奏する。
【００２９】
尚、この発明は、その発明の範囲内において、各実施の形態を自由に組み合わせたり、各実施の形態を適宜、変形、省略することが可能である。
【符号の説明】
【００３０】
１  支援装置、２  プラント監視制御システム、３  制御用ネットワーク、
４  監視装置、５  制御装置、６ａ，６ｂ  情報用ネットワーク、１１  入力部、
１２  画面表示・指令部、１３  試験要領書、１４  試験項目情報部、
１５  試験データ送受信部、１６  画面定義情報部、１７  画面展開部、
１８  試験記録部、１９  試験成績書、４１  表示出力部、
４３  監視画面ソフトウェア部、４４  切替スイッチ、５４  切替スイッチ。
【図１】
2014142875.tif 000003
【図２】
2014142875.tif 000004
【図３】
2014142875.tif 000005
【図４】
2014142875.tif 000006
【図５】
2014142875.tif 000007
【図６】
2014142875.tif 000008
【図７】
2014142875.tif 000009
【図８】
2014142875.tif 000010
【図９】
2014142875.tif 000011
【図１０】
2014142875.tif 000012